(57)【要約】      （修正有）【課題】粘着テープホルダーを提供する。【解決手段】粘着テープホルダー１０Ｂは本体２０Ｂと、本体の一端に配置されるシャフト２１Ｂと、本体の他端に形成されるカッター刃保持部２３Ｂとを備える。カッター刃保持部はカッター刃を有する。粘着ロールテープＴ２をシャフトに装着し、シャフトとともに粘着ロールテープを回転させることによって粘着テープを引き出すことができる。カッター刃によって粘着ロールテープの粘着テープを所定の長さに切断することができる。シャフトの幅とカッター刃保持部のカッター刃の幅との比は１：１．１から１：１．７の間である。上述した構造により、サイズが異なる粘着ロールテープに適用し、使用の利便性を大幅に向上させることができる。【選択図】図６
0003205934.tif 000002
【実用新案登録請求の範囲】
【請求項１】
本体を備え、
前記本体は、前記本体の一端に配置されるシャフトと、前記本体の他端に形成されるカッター刃保持部とを有し、前記カッター刃保持部はカッター刃を有し、粘着ロールテープを前記シャフトに装着し、前記シャフトとともに前記粘着ロールテープを回転させることによって粘着テープを引き出し、前記カッター刃によって前記粘着ロールテープの前記粘着テープを所定の長さに切断することができ、
前記シャフトの幅と前記カッター刃保持部の前記カッター刃の幅との比は１：１．１から１：１．７の間であることを特徴とする、
粘着テープホルダー。
【請求項２】
さらにローラーを備え、前記ローラーは、前記シャフトに被さることでそれとともに回転でき、かつ前記粘着ロールテープの装着に用いられることを特徴とする請求項１に記載の粘着テープホルダー。
【請求項３】
さらに保護用キャップを備え、前記保護用キャップは、前記カッター刃に被さるように前記カッター刃保持部に装着され、前記粘着ロールテープの前記粘着テープは前記カッター刃と前記保護用キャップとの間に装着されることを特徴とする請求項２に記載の粘着テープホルダー。
【請求項４】
さらに静電気吸着ユニットを備え、前記静電気吸着ユニットは前記カッター刃保持部と前記粘着ロールテープとの間に位置するように前記カッター刃保持部に配置され、前記粘着ロールテープ上の前記カッター刃保持部の前記カッター刃に前記粘着テープが切断された部位の付着を抑制することを特徴とする請求項３に記載の粘着テープホルダー。
【請求項５】
さらに保護用キャップを備え、前記保護用キャップは、前記カッター刃に被さるように前記カッター刃保持部に装着され、前記粘着ロールテープの前記粘着テープは前記カッター刃と前記保護用キャップとの間に装着されることを特徴とする請求項１に記載の粘着テープホルダー。
【請求項６】
さらに静電気吸着ユニットを備え、前記静電気吸着ユニットは前記カッター刃保持部と前記粘着ロールテープとの間に位置するように前記カッター刃保持部に配置され、前記粘着ロールテープ上の前記カッター刃保持部の前記カッター刃に前記粘着テープが切断された部位の付着を抑制することを特徴とする請求項５に記載の粘着テープホルダー。
【請求項７】
さらにロールを備え、前記ロールは、前記カッター刃の下方に位置するように前記カッター刃保持部に装着され、前記粘着ロールテープ上の前記カッター刃保持部の前記カッター刃に前記粘着テープが切断された部位は前記ロールに付着し、一時保管されることを特徴とする請求項５に記載の粘着テープホルダー。
【請求項８】
さらにグリップを備え、前記グリップは、前記本体の下方に装着され、ユーザーの手に握られることを特徴とする請求項１から請求項７のいずれか一つに記載の粘着テープホルダー。
【請求項９】
前記シャフトの幅と前記カッター刃保持部の前記カッター刃の幅との比は１：１．２から１：１．４の間であることを特徴とする請求項８に記載の粘着テープホルダー。
【請求項１０】
前記シャフトの幅の位置する軸方向と、前記カッター刃の長軸方向とは同じ軸方向であることを特徴とする請求項１から請求項７のいずれか一つに記載の粘着テープホルダー。
【考案の詳細な説明】
【技術分野】
【０００１】
本考案は、粘着テープホルダー、詳しくは幅広いカッター付き粘着テープホルダーに関するものである。
【背景技術】
【０００２】
一般に使用されている粘着テープホルダー、例えば卓上式粘着テープホルダーまたはハンド式粘着テープホルダーは基部、シャフトおよびカッター刃保持部を備える。シャフトは基部の一側に水平に配置される。粘着ロールテープはシャフトに回転可能に装着される。カッター刃保持部は基部の他側に形成され、カッター刃を有する。
粘着テープホルダーを使用する際、シャフトによって粘着ロールテープを回転させて粘着テープを引き出し、粘着ロールテープから引き出した粘着テープをカッター刃保持部のカッター刃によって所定の長さに切断する。上述したとおり、粘着テープホルダーは職場または店舗などに欠かせない文房具または包装資材である。
【０００３】
上述した粘着テープホルダーは利便性より全体の設計および視覚が強調されるため、カッター刃支持部およびカッター刃の幅と粘着ロールテープの幅とはほぼ同じであるように設計される。つまり幅１インチの粘着テープホルダーの場合、カッター刃は幅が１インチであり、基本機能即ち粘着テープ切断機能を果たす。
しかしながら、カッター刃の幅と粘着テープの幅とはほぼ同じで、通常カッター刃の位置に逐一粘着テープを合わせて切断することはないため、長期にわたって使用すると、カッター刃のカッター刃支持部に接する両端に粘着テープの屑が重なって残留することが原因で粘着テープホルダーが使いにくくなる。
【０００４】
それに対し、カッター刃を取り換えるのでなければ、新しい粘着テープホルダーを購入する必要があるため、改善の余地がある。従って、上述した問題を効果的に改善することが本考案の目的である。
【考案の概要】
【考案が解決しようとする課題】
【０００５】
本考案は、サイズが異なる粘着ロールテープに適用し、使用の利便性を大幅に向上させることができる幅広いカッター付き粘着テープホルダーを提供することを主な目的とする。
【課題を解決するための手段】
【０００６】
上述した課題を解決するための幅広いカッター付き粘着テープホルダーは本体を備える。
【０００７】
本体は、シャフトおよびカッター刃保持部を有する。シャフトは本体の一端に配置される。粘着ロールテープはシャフトに装着される。シャフトとともに粘着ロールテープを回転させることによって粘着テープを引き出すことができる。カッター刃保持部は本体の他端に形成され、カッター刃を有する。カッター刃によって粘着ロールテープの粘着テープを所定の長さに切断することができる。シャフトの幅とカッター刃保持部のカッター刃の幅との比は１：１．１から１：１．７の間である。
【０００８】
比較的好ましい場合、幅広いカッター付き粘着テープホルダーは、さらに保護用キャップを有する。保護用キャップはカッター刃に被さるようにカッター刃保持部に装着される。粘着ロールテープの粘着テープはカッター刃と保護用キャップとの間に装着される。
【０００９】
比較的好ましい場合、粘着テープホルダーは、さらに静電気吸着ユニットを備える。静電気吸着ユニットはカッター刃保持部と粘着ロールテープとの間に位置するようにカッター刃保持部に配置され、粘着ロールテープ上のカッター刃保持部のカッター刃に粘着テープが切断された部位の付着を抑制する。
【００１０】
比較的好ましい場合、粘着テープホルダーは、さらにグリップを備える。グリップは本体の下方に装着され、ユーザーの手に握られる。
【００１１】
比較的好ましい場合、シャフトの幅の位置する軸方向と、カッター刃の長軸方向とは同じ軸方向である。
【００１２】
比較的好ましい場合、シャフトの幅とカッター刃保持部のカッター刃の幅との比は１：１．２から１：１．４の間である。
【図面の簡単な説明】
【００１３】
【図１】本考案の第１実施形態による幅広いカッター付き粘着テープを示す斜視図である。
【図２】本考案の第１実施形態による幅広いカッター付き粘着テープを示す平面図である。
【図３】本考案の第２実施形態による幅広いカッター付き粘着テープを示す斜視図である。
【図４】本考案の第１実施形態による幅広いカッター付き粘着テープの一部分を示す斜視図である。
【図５】本考案の第２実施形態による幅広いカッター付き粘着テープの一部分を示す平面図である。
【図６】本考案の第３実施形態による幅広いカッター付き粘着テープを示す斜視図である。
【図７】本考案の第３実施形態による幅広いカッター付き粘着テープの一部分を示す斜視図である。
【図８】本考案の第３実施形態による幅広いカッター付き粘着テープ一部分を示す平面図である。
【考案を実施するための形態】
【００１４】
以下、本考案による幅広いカッター付き粘着テープホルダーの構造特徴および達成した効果を図面に基づいて説明する。なお、図中の同じ符号は同一または類似した部品、構造、システム、装置、プロセス、方法またはステップなどを示す。
【００１５】
（第１実施形態）
図１および図２に示すように、本考案の第１実施形態による幅広いカッター付き粘着テープホルダー１０は、本体２０を備える。
【００１６】
本体２０は、シャフト２１およびカッター刃保持部２３を有する。シャフト２１は本体２０の一端に配置される。粘着ロールテープＴはシャフト２１に装着される。シャフト２１とともに粘着ロールテープＴを回転させることによって粘着テープを引き出すことができる。カッター刃保持部２３は本体２０の他端に形成され、カッター刃２３１を有する。カッター刃２３１によって粘着ロールテープＴの粘着テープを所定の長さに切断することができる。
【００１７】
従来の技術に対し、本考案の技術特徴および達成した効果は次のとおりである。
【００１８】
図２に示すように、シャフト２１の幅はＷ１であり、カッター刃保持部２３のカッター刃２３１の幅はＷ２である。シャフト２１の幅Ｗ１の位置する軸方向と、カッター刃２３１の長軸方向とは同じ軸方向であり、相互に平行することが最も好ましい。シャフト２１の幅Ｗ１の位置する軸方向と粘着ロールテープＴから粘着テープを引き出す方向とがなす角度θ１は９０度が最も好ましい。
シャフト２１の幅Ｗ１とカッター刃２３１の幅Ｗ２との比は１：１．１から１：１．７の間である。比較的好ましい場合、シャフト２１の幅Ｗ１とカッター刃２３１の幅Ｗ２との比は１：１．２から１：１．４の間である。
【００１９】
従来の技術に対し、カッター刃保持部２３のカッター刃２３１は幅Ｗ２が適切であるため、幅広いカッター付き粘着テープホルダー１０での粘着ロールテープＴの粘着テープを切断する際、作業しやすい角度および空間が形成される。
上述した構造により、長期にわたって粘着ロールテープＴの粘着テープがカッター刃２３１のカッター刃支持部２３に接する両端に接触し残留するという現象を効果的に改善できるだけでなく、間接的にカッター刃２３１の使用寿命を延ばし、使用上の利便性を向上させることができる。
【００２０】
以上は本考案の第１実施形態の技術特徴と達成した効果についての説明である。続いて、本考案の第２実施形態による粘着テープホルダー１０Ａの技術特徴と達成した効果について説明する。
【００２１】
（第２実施形態）
図３および図５に示すように、本考案の第２実施形態による幅広いカッター付き粘着テープホルダー１０Ａは、本体２０Ａ、ローラー２５Ａおよび保護用キャップ２７Ａを備える。
【００２２】
本体２０Ａは、シャフト２１Ａおよびカッター刃保持部２３Ａを有する。シャフト２１Ａは本体２０Ａの一端に配置される。粘着ロールテープＴ１はシャフト２１Ａに装着される。シャフト２１Ａとともに粘着ロールテープＴ１を回転させることによって粘着テープを引き出すことができる。
カッター刃保持部２３Ａは本体２０Ａの他端に形成され、カッター刃２３１Ａを有する。カッター刃２３１Ａによって粘着ロールテープＴ１の粘着テープを所定の長さに切断することができる。
【００２３】
ローラー２５Ａは、シャフト２１Ａに回転可能に被さる。粘着テープホルダー１０Ａを使用する際、粘着ロールテープＴ１をローラー２５Ａに装着し、シャフト２１Ａとともに粘着ロールテープＴ１を回転させることによって粘着テープを引き出し、カッター刃保持部２３Ａのカッター刃２３１Ａによって粘着ロールテープＴ１の粘着テープを所定の長さに切断する。
【００２４】
保護用キャップ２７Ａは、カッター刃２３１Ａに被さるようにカッター刃保持部２３Ａに装着される。粘着テープホルダー１０Ａのカッター刃２３１Ａがユーザーを怪我させることを防止するためには、粘着ロールテープＴ１の粘着テープはカッター刃２３１Ａと保護用キャップ２７Ａとの間に装着される。
本実施形態において、防護用キャップ２７Ａはカッター刃２３１Ａの上方に被さるようにカッター刃保持部２３Ａに装着される。
【００２５】
図５に示すように、シャフト２１Ａの幅はＷ１１であり、カッター刃保持部２３Ａのカッター刃２３１Ａの幅はＷ２１である。シャフト２１Ａの幅Ｗ１１の位置する軸方向と、カッター刃２３１Ａの長軸方向とは同じ軸方向であり、相互に平行することが最も好ましい。
シャフト２１Ａの幅Ｗ１１の位置する軸方向と粘着ロールテープＴ１から粘着テープを引き出す方向とがなす角度θ１１は９０度が最も好ましい。シャフト２１Ａの幅Ｗ１１とカッター刃２３１Ａの幅Ｗ２１との比は１：１．１から１：１．７の間である。比較的好ましい場合、シャフト２１Ａの幅Ｗ１１とカッター刃２３１Ａの幅Ｗ２１との比は１：１．２から１：１．４の間である。
【００２６】
以上は本考案の第２実施形態の技術特徴と達成した効果についての説明である。続いて、本考案の第３実施形態による粘着テープホルダー１０Ｂの技術特徴と達成した効果について説明する。
【００２７】
（第３実施形態）
図６および図８に示すように、本考案の第３実施形態による幅広いカッター付き粘着テープホルダー１０Ｂは、本体２０Ａ、保護用キャップ２７Ｂ、静電気吸着ユニット２８Ｂ、一時保管用ユニット２９Ｂおよびグリップ３０Ｂを備える。
【００２８】
本体２０Ｂは、シャフト２１Ｂおよびカッター刃保持部２３Ｂを有する。シャフト２１Ｂは本体２０Ｂの一端に配置される。粘着ロールテープＴ２はシャフト２１Ｂに装着される。
シャフト２１Ｂとともに粘着ロールテープＴ２を回転させることによって粘着テープを引き出すことができる。カッター刃保持部２３Ｂは本体２０Ｂの他端に形成され、カッター刃２３１Ｂを有する。カッター刃２３１Ｂによって粘着ロールテープＴ２の粘着テープを所定の長さに切断することができる。
【００２９】
保護用キャップ２７Ｂは、カッター刃２３１Ｂに被さるようにカッター刃保持部２３Ｂに装着される。粘着テープホルダー１０Ｂのカッター刃２３１Ｂがユーザーを怪我させることを防止するためには、粘着ロールテープＴ２の粘着テープはカッター刃２３１Ｂと保護用キャップ２７Ｂとの間に装着される。本実施形態において、防護用キャップ２７Ｂはカッター刃２３１Ｂの上方に被さるようにカッター刃保持部２３Ｂに装着される。
【００３０】
静電気吸着ユニット２８Ｂは、カッター刃保持部２３Ｂと粘着ロールテープＴ２との間に位置するようにカッター刃保持部２３Ｂに配置され、粘着ロールテープＴ２上のカッター刃保持部２３Ｂのカッター刃２３１Ｂに粘着テープが切断された部位の付着を抑制する。
【００３１】
一時保管用ユニット２９Ｂは、カッター刃２３１Ｂの下方に位置するようにカッター刃保持部２３Ｂに装着される。粘着ロールテープＴ２上のカッター刃保持部２３Ｂのカッター刃２３１Ｂに粘着テープが切断された部位を一時保管用ユニット２９Ｂに付着させれば、使用の便をはかることができる。
【００３２】
グリップ３０Ｂは、本体２０Ｂの下方に装着され、ユーザーの手に握られる。
【００３３】
図８に示すように、シャフト２１Ｂの幅はＷ１２であり、カッター刃保持部２３Ｂのカッター刃２３１Ｂの幅はＷ２２である。シャフト２１Ｂの幅Ｗ１２の位置する軸方向と、カッター刃２３１Ｂの長軸方向とは同じ軸方向であり、相互に平行することが最も好ましい。
シャフト２１Ｂの幅Ｗ１２の位置する軸方向と粘着ロールテープＴ２から粘着テープを引き出す方向とがなす角度θ１２は９０度が最も好ましい。シャフト２１Ｂの幅Ｗ１２とカッター刃２３１Ｂの幅Ｗ２２との比は１：１．１から１：１．７の間である。比較的好ましい場合、シャフト２１Ｂの幅Ｗ１２とカッター刃２３１Ｂの幅Ｗ２２との比は１：１．２から１：１．４の間である。
【００３４】
以上、本考案は、上記実施形態になんら限定されるものではなく、考案の趣旨を逸脱しない範囲において種々の形態で実施可能である。
【符号の説明】
【００３５】
１０、１０Ａ、１０Ｂ  粘着テープホルダー
２０、２０Ａ、２０Ｂ  本体
２１、２１Ａ、２１Ｂ  シャフト
２３、２３Ａ、２３Ｂ  カッター刃保持部
２５Ａ  ローラー
２７Ａ、２７Ｂ  保護用キャップ
２８Ｂ  静電気吸着ユニット
２９Ｂ  一時保管用ユニット
３０Ｂ  グリップ
Ｔ１、Ｔ２、Ｔ３  粘着ロールテープ
Ｗ１、Ｗ１１、Ｗ１２  幅
Ｗ２、Ｗ２１、Ｗ２２  幅
θ１、θ１２、θ１２  角度
【図１】
0003205934.tif 000003
【図２】
0003205934.tif 000004
【図３】
0003205934.tif 000005
【図４】
0003205934.tif 000006
【図５】
0003205934.tif 000007
【図６】
0003205934.tif 000008
【図７】
0003205934.tif 000009
【図８】
0003205934.tif 000010
【手続補正書】
【提出日】平成28年7月1日(2016.7.1)
【手続補正１】
【補正対象書類名】実用新案登録請求の範囲
【補正対象項目名】全文
【補正方法】変更
【補正の内容】
【実用新案登録請求の範囲】
【請求項１】
本体を備え、
前記本体は、前記本体の一端に配置されるシャフトと、前記本体の他端に形成されるカッター刃保持部とを有し、前記カッター刃保持部はカッター刃を有し、粘着ロールテープを前記シャフトに装着し、前記シャフトとともに前記粘着ロールテープを回転させることによって粘着テープを引き出し、前記カッター刃によって前記粘着ロールテープの前記粘着テープを所定の長さに切断することができ、
前記シャフトの幅と前記カッター刃保持部の前記カッター刃の幅との比は１：１．１から１：１．７の間であることを特徴とする、
粘着テープホルダー。
【請求項２】
さらにローラーを備え、前記ローラーは、前記シャフトに被さることでそれとともに回転でき、かつ前記粘着ロールテープの装着に用いられることを特徴とする請求項１に記載の粘着テープホルダー。
【請求項３】
さらに保護用キャップを備え、前記保護用キャップは、前記カッター刃に被さるように前記カッター刃保持部に装着され、前記粘着ロールテープの前記粘着テープは前記カッター刃と前記保護用キャップとの間に装着されることを特徴とする請求項２に記載の粘着テープホルダー。
【請求項４】
さらに静電気吸着ユニットを備え、前記静電気吸着ユニットは前記カッター刃保持部と前記粘着ロールテープとの間に位置するように前記カッター刃保持部に配置され、前記粘着ロールテープ上の前記カッター刃保持部の前記カッター刃に前記粘着テープが切断された部位の付着を抑制することを特徴とする請求項３に記載の粘着テープホルダー。
【請求項５】
さらに保護用キャップを備え、前記保護用キャップは、前記カッター刃に被さるように前記カッター刃保持部に装着され、前記粘着ロールテープの前記粘着テープは前記カッター刃と前記保護用キャップとの間に装着されることを特徴とする請求項１に記載の粘着テープホルダー。
【請求項６】
さらに静電気吸着ユニットを備え、前記静電気吸着ユニットは前記カッター刃保持部と前記粘着ロールテープとの間に位置するように前記カッター刃保持部に配置され、前記粘着ロールテープ上の前記カッター刃保持部の前記カッター刃に前記粘着テープが切断された部位の付着を抑制することを特徴とする請求項５に記載の粘着テープホルダー。
【請求項７】
さらに一時保管ユニットを備え、前記一時保管ユニットは、前記カッター刃の下方に位置するように前記カッター刃保持部に装着され、前記粘着ロールテープ上の前記カッター刃保持部の前記カッター刃に前記粘着テープが切断された部位は前記一時保管ユニットに付着し、一時保管されることを特徴とする請求項５に記載の粘着テープホルダー。
【請求項８】
さらにグリップを備え、前記グリップは、前記本体の下方に装着され、ユーザーの手に握られることを特徴とする請求項１から請求項７のいずれか一つに記載の粘着テープホルダー。
【請求項９】
前記シャフトの幅と前記カッター刃保持部の前記カッター刃の幅との比は１：１．２から１：１．４の間であることを特徴とする請求項８に記載の粘着テープホルダー。
【請求項１０】
前記シャフトの幅の位置する軸方向と、前記カッター刃の長軸方向とは同じ軸方向であることを特徴とする請求項１から請求項７のいずれか一つに記載の粘着テープホルダー。
【手続補正２】
【補正対象書類名】図面
【補正対象項目名】図２
【補正方法】変更
【補正の内容】
【図２】
0003205934.tif 000011
【手続補正３】
【補正対象書類名】図面
【補正対象項目名】図５
【補正方法】変更
【補正の内容】
【図５】
0003205934.tif 000012
【手続補正４】
【補正対象書類名】図面
【補正対象項目名】図８
【補正方法】変更
【補正の内容】
【図８】
0003205934.tif 000013